(57)【要約】    【課題】  聴講者の特性に合わせたプレゼンテーションを行うことができるプレゼンテーション支援システムを提供する。    【解決手段】  聴講者が使用する聴講者用機器１０３，１０４と、プレゼンテーションデータに基づいてプレゼンテーション用の動作を行う講演者用機器１０２と、前記プレゼンテーションデータに基づいて表示を行うプロジェクタ１０１とを用い、講演者が聴講者に対して実施するプレゼンテーションを支援する。これに際して、聴講者の特性に関する情報である聴講者特性情報が記述された聴講者特性情報記述部を聴講者用機器１０３，１０４に設けておき、講演者用機器１０２には、少なくとも前記聴講者特性情報に基づいて、プレゼンテーションを支援するための支援情報を生成する支援情報生成部２０２と、支援情報生成部２０２が生成した支援情報を講演者用として提示するために表示部２０６、音声合成部２０７及び音声出力部２０８などを備える。【選択図】    図２
2005250016.tif 000002
【特許請求の範囲】
【請求項１】
聴講者が使用する聴講者用機器と、プレゼンテーションデータに基づいてプレゼンテーション用の動作を行うプレゼンテーション用機器と、前記プレゼンテーション用機器に接続され、前記プレゼンテーションデータに基づいて表示を行う表示装置とを有し、講演者が聴講者に対して実施するプレゼンテーションを支援するためのプレゼンテーション支援システムにおいて、
聴講者の特性に関する情報である聴講者特性情報が記述された聴講者特性情報記述部を前記聴講者用機器に設けると共に、
前記プレゼンテーション用機器は、
少なくとも前記聴講者特性情報に基づいて、プレゼンテーションを支援するための支援情報を生成する支援情報生成部と、
前記支援情報生成部が生成した支援情報を講演者用として提示する支援情報提示部とを備えたことを特徴とするプレゼンテーション支援システム。
【請求項２】
聴講者が使用する聴講者用機器と、プレゼンテーションデータに基づいてプレゼンテーション用の動作を行うプレゼンテーション用機器と、前記プレゼンテーション用機器に接続され、前記プレゼンテーションデータに基づいて表示を行う表示装置とを有し、講演者が聴講者に対して実施するプレゼンテーションを支援するためのプレゼンテーション支援システムにおいて、
聴講者の特性に関する情報である聴講者特性情報が保持された聴講者特性情報記述部を前記聴講者用機器に設けると共に、
少なくとも前記聴講者特性情報に応じて前記プレゼンテーションデータの形式を変換するデータ変換部と、
前記変換されたデータを前記聴講者用機器側へ送信する変換データ送信部とを備え、
前記聴講者用機器は、
前記変換されたデータを受信して聴講者用として提示する変換データ提示手段を備えたことを特徴とするプレゼンテーション支援システム。
【請求項３】
講演者が聴講者に対して実施するプレゼンテーションに使用される表示装置と聴講者が使用する聴講者用機器とに接続され、プレゼンテーションデータに基づいてプレゼンテーション用の動作を行うプレゼンテーション用機器において、
聴講者の特性に関する情報である聴講者特性情報を前記聴講者用機器側から受信する受信手段と、
少なくとも前記聴講者特性情報に基づいて、プレゼンテーションを支援するための支援情報を生成する支援情報生成手段と、
前記支援情報生成手段が生成した支援情報を講演者用として提示する支援情報提示手段とを備えたことを特徴とするプレゼンテーション用機器。
【請求項４】
講演者が聴講者に対して実施するプレゼンテーションに使用される表示装置と聴講者が使用する聴講者用機器とに接続され、プレゼンテーションデータに基づいてプレゼンテーション用の動作を行うプレゼンテーション用機器において、
聴講者の特性に関する情報である聴講者特性情報を前記聴講者用機器側から受信する受信手段と、
少なくとも前記聴講者特性情報に応じて前記プレゼンテーションデータの形式を変換するデータ変換手段と、
前記変換されたデータを前記聴講者用機器側へ送信する変換データ送信手段とを備えたことを特徴とするプレゼンテーション用機器。
【請求項５】
前記聴講者特性情報は、アンケートに対する聴講者の回答に基づいて生成されたことを特徴とする請求項３または４に記載のプレゼンテーション用機器。
【請求項６】
前記聴講者特性情報は、聴講者の専門知識に関する情報を含み、前記プレゼンテーションデータは、前記表示装置に表示されるスライドに関する情報を含み、
前記支援情報生成手段は、前記スライドに関する情報と前記聴講者特性情報に含まれる聴講者の専門知識に関する情報とを比較し、各スライド毎に対応した支援情報を生成することを特徴とする請求項３または５に記載のプレゼンテーション用機器。
【請求項７】
前記データ変換手段は、前記聴講者特性情報が視覚障害者であることを示す情報を含む場合に、前記プレゼンテーションデータの形式を音声で出力するためのデータに変換することを特徴とする請求項４または５に記載のプレゼンテーション用機器。
【請求項８】
聴講者が使用する聴講者用機器と、プレゼンテーションデータに基づいてプレゼンテーション用の動作を行うプレゼンテーション用機器と、前記プレゼンテーション用機器に接続され、前記プレゼンテーションデータに基づいて表示を行う表示装置とを用い、講演者が聴講者に対して実施するプレゼンテーションを支援するためのプレゼンテーション支援方法において、
聴講者の特性に関する情報である聴講者特性情報を取得する取得工程と、
前記取得した聴講者特性情報に基づいて、プレゼンテーションを支援するための支援情報を生成する支援情報生成工程と、
前記支援情報生成工程が生成した支援情報を講演者に提示する支援情報提示工程とを実行することを特徴とするプレゼンテーション支援方法。
【請求項９】
聴講者が使用する聴講者用機器と、プレゼンテーションデータに基づいてプレゼンテーション用の動作を行うプレゼンテーション用機器と、前記プレゼンテーション用機器に接続され、前記プレゼンテーションデータに基づいて表示を行う表示装置とを用い、講演者が聴講者に対して実施するプレゼンテーションを支援するためのプレゼンテーション支援方法において、
聴講者の特性に関する情報である聴講者特性情報を取得する取得工程と、
前記取得した聴講者特性情報に応じて前記プレゼンテーションデータの形式を変換するデータ変換工程と、
前記変換されたデータを前記聴講者用機器側へ送信して聴講者に提示する工程とを実行することを特徴とするプレゼンテーション支援方法。
【請求項１０】
講演者が聴講者に対して実施するプレゼンテーションに使用される表示装置と聴講者が使用する聴講者用機器とに接続され、プレゼンテーションデータに基づいてプレゼンテーション用の動作を行うプレゼンテーション用機器の制御方法を実行するための、コンピュータで読み取り可能な制御プログラムであって、
聴講者の特性に関する情報である聴講者特性情報を前記聴講者用機器側から受信する受信ステップと、
少なくとも前記聴講者特性情報に基づいて、プレゼンテーションを支援するための支援情報を生成する支援情報生成ステップと、
前記支援情報生成ステップが生成した支援情報を講演者用として提示する支援情報提示ステップとを備えたことを特徴とする制御プログラム。
【請求項１１】
講演者が聴講者に対して実施するプレゼンテーションに使用される表示装置と聴講者が使用する聴講者用機器とに接続され、プレゼンテーションデータに基づいてプレゼンテーション用の動作を行うプレゼンテーション用機器の制御方法を実行するための、コンピュータで読み取り可能な制御プログラムであって、
聴講者の特性に関する情報である聴講者特性情報を前記聴講者用機器側から受信する受信ステップと、
少なくとも前記聴講者特性情報に応じて前記プレゼンテーションデータの形式を変換するデータ変換ステップと、
前記変換されたデータを前記聴講者用機器側へ送信する変換データ送信ステップとを備えたことを特徴とする制御プログラム。
【発明の詳細な説明】
【技術分野】
【０００１】
本発明は、講演者が聴講者に対して実施するプレゼンテーションを支援するためのプレゼンテーション支援システム及びプレゼンテーション支援方法、このシステムに使用されるプレゼンテーション用機器、並びに該プレゼンテーション用機器の制御方法を実行するための制御プログラムに関する。
【背景技術】
【０００２】
従来のプレゼンテーション支援用のシステムは、講演者が使用するコンピュータ上で例えばパワーポイント（登録商標）のようなプレゼンテーション用ソフトウェアを実行し、前記コンピュータに接続されたプロジェクタにプレゼンテーション用ソフトウェアの画面を表示する、というのが最も普及したスタイルである。
【０００３】
最近では、聴講者各自のコンピュータをネットワーク接続してネットワーク経由で講演者と聴講者間で情報をやり取りすることが可能なプレゼンテーション支援システムなどが提案されている。
【０００４】
例えば、プレゼンテーションの進行状況を時間的に監視し、求められる進行度と予め登録された進行度とを比較することによってプレゼンテーションのペースが速い／遅いといったアドバイスや、各スライドに付与されたメモ書きを、講演者に対して表示によって伝える、という技術が提案されている（特許文献１を参照）。
【０００５】
また、会議参加者はネットワークに接続されたコンピュータを使用して電子的に配布された会議資料を参照することができ、各参加者がその会議資料に対しページめくりやメモ記入などの操作を行った場合に、その操作履歴を一括して参加者状況データベースにリアルタイムで蓄積し、その情報を各参加者の状況情報に変換して発表者に必要なタイミングで提示し、これにより、発表者が参加者の理解度や興味を的確に把握しながらプレゼンテーションや議論を行うことができる、という技術も提案されている（特許文献２を参照）。
【０００６】
さらに、聴講者用機器の特性を考慮し、プレゼンテーション用の表示を行うためのプレゼンテーションデータを、その聴講者用機器が表示可能な画像形式に変換して送るという技術もある（特許文献３を参照）。
【特許文献１】特開２００１−１６６７５８号公報
【特許文献２】特開２０００−２００２３７号公報
【特許文献３】特開２００２−２２２１５７号公報
【発明の開示】
【発明が解決しようとする課題】
【０００７】
プレゼンテーションの最も重要な要件の一つは、その内容が聴講者にとって分かり易い、ということであり、そのためには、聴講者の特性に応じてプレゼンテーションを行うことが望ましい。聴講者の特性としては、聴講者がどのような分野に詳しいのか、どのような分野に興味があるのか、などが考えられるが、こうした聴講者の特性に関する情報はプレゼンテーションの行う上で有益である。一方、聴講者の中に視覚障害者がいる場合は、その聴講者はプレゼンテーションのスライド表示を見ることができないので、プレゼンテーションの内容を理解するのが困難になる。そうした聴講者を考慮したプレゼンテーションを行うことも重要である。
【０００８】
そのために、プレゼンテーション支援システムは、聴講者の特性に応じた支援情報を講演者に提示したり、聴講者の特性に応じたプレゼンテーションデータの変換を行うことが必要となる。
【０００９】
このような観点から、上記特許文献１では、予め登録された進行度情報やメモ情報が支援情報のベースになり、聴講者の特性を考慮していない。上記特許文献２では、配布資料に対する聴講者の操作から聴講者の興味情報を推測する方法を用いているが、この方法では、推測精度に問題があり、正確な聴講者の興味情報を得ることは困難である。また、特許文献３では、聴講者用機器の特性を考慮したプレゼンテーションデータの変換を行っているが、聴講者自身の特性は考慮していない、という問題があった。
【００１０】
本発明は上記従来の問題点に鑑み、聴講者の特性に合わせたプレゼンテーションを行うことができるプレゼンテーション支援システム、プレゼンテーション用機器、プレゼンテーション支援方法、及び制御プログラムを提供することを目的とする。
【課題を解決するための手段】
【００１１】
上記目的を達成するために、本発明のプレゼンテーション支援システムでは、聴講者が使用する聴講者用機器と、プレゼンテーションデータに基づいてプレゼンテーション用の動作を行うプレゼンテーション用機器と、前記プレゼンテーション用機器に接続され、前記プレゼンテーションデータに基づいて表示を行う表示装置とを有し、講演者が聴講者に対して実施するプレゼンテーションを支援するためのプレゼンテーション支援システムにおいて、聴講者の特性に関する情報である聴講者特性情報が記述された聴講者特性情報記述部を前記聴講者用機器に設けると共に、前記プレゼンテーション用機器は、少なくとも前記聴講者特性情報に基づいて、プレゼンテーションを支援するための支援情報を生成する支援情報生成部と、前記支援情報生成部が生成した支援情報を講演者用として提示する支援情報提示部とを備えたことを特徴とする。
【００１２】
本発明のプレゼンテーション支援システムでは、聴講者が使用する聴講者用機器と、プレゼンテーションデータに基づいてプレゼンテーション用の動作を行うプレゼンテーション用機器と、前記プレゼンテーション用機器に接続され、前記プレゼンテーションデータに基づいて表示を行う表示装置とを有し、講演者が聴講者に対して実施するプレゼンテーションを支援するためのプレゼンテーション支援システムにおいて、聴講者の特性に関する情報である聴講者特性情報が保持された聴講者特性情報記述部を前記聴講者用機器に設けると共に、少なくとも前記聴講者特性情報に応じて前記プレゼンテーションデータの形式を変換するデータ変換部と、前記変換されたデータを前記聴講者用機器側へ送信する変換データ送信部とを備え、前記聴講者用機器は、前記変換されたデータを受信して聴講者用として提示する変換データ提示手段を備えたことを特徴とする。
【００１３】
本発明のプレゼンテーション用機器では、講演者が聴講者に対して実施するプレゼンテーションに使用される表示装置と聴講者が使用する聴講者用機器とに接続され、プレゼンテーションデータに基づいてプレゼンテーション用の動作を行うプレゼンテーション用機器において、聴講者の特性に関する情報である聴講者特性情報を前記聴講者用機器側から受信する受信手段と、少なくとも前記聴講者特性情報に基づいて、プレゼンテーションを支援するための支援情報を生成する支援情報生成手段と、前記支援情報生成手段が生成した支援情報を講演者用として提示する支援情報提示手段とを備えたことを特徴とする。
【００１４】
本発明のプレゼンテーション用機器では、講演者が聴講者に対して実施するプレゼンテーションに使用される表示装置と聴講者が使用する聴講者用機器とに接続され、プレゼンテーションデータに基づいてプレゼンテーション用の動作を行うプレゼンテーション用機器において、聴講者の特性に関する情報である聴講者特性情報を前記聴講者用機器側から受信する受信手段と、少なくとも前記聴講者特性情報に応じて前記プレゼンテーションデータの形式を変換するデータ変換手段と、前記変換されたデータを前記聴講者用機器側へ送信する変換データ送信手段とを備えたことを特徴とする。
【００１５】
本発明のプレゼンテーション支援方法では、聴講者が使用する聴講者用機器と、プレゼンテーションデータに基づいてプレゼンテーション用の動作を行うプレゼンテーション用機器と、前記プレゼンテーション用機器に接続され、前記プレゼンテーションデータに基づいて表示を行う表示装置とを用い、講演者が聴講者に対して実施するプレゼンテーションを支援するためのプレゼンテーション支援方法において、聴講者の特性に関する情報である聴講者特性情報を取得する取得工程と、前記取得した聴講者特性情報に基づいて、プレゼンテーションを支援するための支援情報を生成する支援情報生成工程と、前記支援情報生成工程が生成した支援情報を講演者に提示する支援情報提示工程とを実行することを特徴とする。
【００１６】
本発明のプレゼンテーション支援方法では、聴講者が使用する聴講者用機器と、プレゼンテーションデータに基づいてプレゼンテーション用の動作を行うプレゼンテーション用機器と、前記プレゼンテーション用機器に接続され、前記プレゼンテーションデータに基づいて表示を行う表示装置とを用い、講演者が聴講者に対して実施するプレゼンテーションを支援するためのプレゼンテーション支援方法において、聴講者の特性に関する情報である聴講者特性情報を取得する取得工程と、前記取得した聴講者特性情報に応じて前記プレゼンテーションデータの形式を変換するデータ変換工程と、前記変換されたデータを前記聴講者用機器側へ送信して聴講者に提示する工程とを実行することを特徴とする。
【００１７】
本発明の制御プログラムでは、講演者が聴講者に対して実施するプレゼンテーションに使用される表示装置と聴講者が使用する聴講者用機器とに接続され、プレゼンテーションデータに基づいてプレゼンテーション用の動作を行うプレゼンテーション用機器の制御方法を実行するための、コンピュータで読み取り可能な制御プログラムであって、聴講者の特性に関する情報である聴講者特性情報を前記聴講者用機器側から受信する受信ステップと、少なくとも前記聴講者特性情報に基づいて、プレゼンテーションを支援するための支援情報を生成する支援情報生成ステップと、前記支援情報生成ステップが生成した支援情報を講演者用として提示する支援情報提示ステップとを備えたことを特徴とする。
【００１８】
本発明の制御プログラムでは、講演者が聴講者に対して実施するプレゼンテーションに使用される表示装置と聴講者が使用する聴講者用機器とに接続され、プレゼンテーションデータに基づいてプレゼンテーション用の動作を行うプレゼンテーション用機器の制御方法を実行するための、コンピュータで読み取り可能な制御プログラムであって、聴講者の特性に関する情報である聴講者特性情報を前記聴講者用機器側から受信する受信ステップと、少なくとも前記聴講者特性情報に応じて前記プレゼンテーションデータの形式を変換するデータ変換ステップと、前記変換されたデータを前記聴講者用機器側へ送信する変換データ送信ステップとを備えたことを特徴とする。
【発明の効果】
【００１９】
本発明によれば、聴講者の特性に合わせたプレゼンテーションを行うことが可能になる。例えば、講演者は聴講者の専門分野に合わせて無駄がなく且つ不足のないプレゼンテーションを行うことができ、さらに聴講者は視覚障害があってもプレゼンテーションの内容を十分把握することができる。
【発明を実施するための最良の形態】
【００２０】
本発明のプレゼンテーション支援システム、プレゼンテーション用機器、プレゼンテーション支援方法、及び制御プログラムの実施の形態について、図面を参照しながら説明する。
【００２１】
［第１実施形態］
＜第１実施形態の構成＞
図１は、本発明の第１実施形態に係るプレゼンテーション支援システムの構成を示すブロック図である。
【００２２】
同図に示すように、本実施形態のプレゼンテーション支援システムは、講演者が使用する講演者用ＰＣ（パソコン）１０２と、聴講者Ａが使用する聴講者用ＰＣ１０３と、聴講者Ｂが使用する聴講者用ＰＣ１０４と、サーバ１０５とがＬＡＮ１０７に接続されており、さらに講演者用ＰＣ１０３とプロジェクタ１０１がビデオケーブル１０６を介して接続されている。
【００２３】
図２は、図１に示した講演者用ＰＣ１０２の機能構成を示すブロック図である。
【００２４】
同図中の２０１は講演者の操作を受ける操作部であり、２０２は講演者への支援情報を生成する支援情報生成部であり、２０３は聴講者用ＰＣ１０３，１０４やサーバ１０５とデータをやり取りするための通信部である。
【００２５】
また、２０４は、プレゼンテーションデータを保持するプレゼンテーションデータ保持部であり、２０６は、プレゼンテーションデータに含まれる表示データを表示する表示部であり、２０７は音声合成部であって、支援情報生成部２０２が生成する支援情報を記述したテキスト情報から合成音声を生成する。２０８は音声出力部であって、音声合成部２０７で合成された合成音声を出力する。
【００２６】
２０５は、制御部であって、プレゼンテーションデータ保持部２０４に保持されるプレゼンテーションデータと操作部２０１からの操作入力とに応じて、プレゼンテーション用の動作を実行し、さらに支援情報生成部２０２が生成する支援情報を適切に講演者に提示するための制御を行う。
【００２７】
図３は、図１に示した聴講者用ＰＣ１０３（または聴講者用ＰＣ１０４）の機能構成を示すブロック図である。
【００２８】
図中の３０１は、聴講者Ａ（または聴講者Ｂ）の特性に関する情報を保持する聴講者特性情報保持部であり、３０２は、講演者用ＰＣ１０２やサーバ１０５とデータをやり取りするための通信部である。３０３は、変換データ保持部であって、サーバ１０５から受け取ったプレゼンテーション変換データを保持する。３０４は、音声合成部であって、プレゼンテーション変換データから音声を合成する。３０５は、音声出力部であって、音声合成部３０４によって合成された音声を出力する。
【００２９】
図４は、図１に示したサーバ１０５の機能構成を示すブロック図である。
【００３０】
同図において、４０１は、聴講者用ＰＣ１０３または１０４から送られる聴講者特性情報をまとめ、管理する聴講者特性情報管理部であり、４０２は、講演者のプレゼンテーションデータを音声合成用のテキスト情報に変換するプレゼンテーションデータ変換部である。４０３は、講演者用ＰＣ１０２や聴講者用ＰＣ１０３，１０４とデータをやり取りするための通信部である。
【００３１】
図５は、図１に示した講演者用ＰＣ１０２（または聴講者用ＰＣ１０３，１０４）のハードウェア構成を示すブロック図である。
【００３２】
同図において、５０１はＣＰＵであり、後述する講演者用ＰＣ１０２の動作手順（または聴講者用ＰＣ１０３，１０４）を実現するプログラムに従って動作し、図２中の制御部２０５（または聴講者用ＰＣ１０３，１０４の図示しない制御部）に相当する。５０２はＲＡＭであり、上記プログラムの動作に必要な記憶領域を提供し、聴講者用ＰＣ１０３，１０４の場合は図３中の変換データ保持部３０３を含む。５０３はＲＯＭであり、上記プログラムの動作手順を実現するプログラムを保持する。
【００３３】
５０４はＨＤＤであり、図２中のプレゼンテーションデータ保持部２０４（聴講者用ＰＣ１０３，１０４の場合は図３中の聴講者特性情報保持部３０１）などを有する。５０５，５０６は、それぞれ操作入力を行うためのキーボードとマウスであり、図２中の操作部２０１に相当する。５０７はＬＣＤであり、講演者用ＰＣ１０２の場合はプレゼンテーションデータに含まれる表示データを表示する。
【００３４】
５０８はスピーカであり、図２中の音声出力部２０８（聴講者用ＰＣ１０３，１０４の場合は図３中の音声出力部３０５）に含まれる。５０９は通信デバイスであり、本実施形態ではＬＡＮカードを想定し、図２中の通信部２０３（聴講者用ＰＣ１０３，１０４の場合は図３中の通信部３０２）に相当する。これら各構成要素は、バス５１０に接続されている。
【００３５】
図６は、図１に示したサーバ１０５のハードウェア構成を示すブロック図である。
【００３６】
同図において、７０１はＣＰＵであり、後述するサーバ１０５の動作手順を実現するプログラムに従って動作し、図４中の聴講者特性情報管理部４０１とプレゼンテーションデータ変換部４０２を含む。７０２はＲＡＭであり、上記プログラムの動作に必要な記憶領域を提供する。７０３はＲＯＭであり、上記プログラムの動作手順を実現するプログラムを保持する。７０４はＨＤＤである。７０５，７０６は、それぞれ操作入力を行うためのキーボードとマウスである。７０７はデータを表示するＣＲＴである。７０８は通信デバイスであり、本実施形態ではＬＡＮカードを想定し、図４中の通信部４０３に相当する。これら各構成要素は、バス７０９に接続されている。
【００３７】
＜本実施形態の動作＞
次に、本実施形態の動作として、図７のフローチャートを参照しつつ、聴講者Ａが使用する聴講者用ＰＣ１０３、サーバ１０５、及び講演者用ＰＣ１０２の動作を説明する。
【００３８】
Ｉ．聴講者用ＰＣ１０３の動作
まず聴講者用ＰＣ１０３の動作を説明する。
【００３９】
聴講者Ａが会議に参加する際に聴講者用ＰＣ１０３で所定の操作を行うと、聴講者用ＰＣ１０３は、サーバ１０５に対してＬＡＮ１０７を経由して聴講者特性情報を通知する（ステップＳ８０１）。
【００４０】
聴講者特性情報は、図８（ａ），（ｂ）のようなＸＭＬベースのフォーマットで記述されている。図８（ａ）は聴講者Ａの聴講者特性情報の例を示しており、＜ｓｅｘ＞要素、＜ａｇｅ＞要素、及び＜ｌａｎｇｕａｇｅ＞要素はそれぞれ性別、年齢、使用言語を表している。さらに＜ｆｉｅｌｄ＞要素は聴講者の専門分野を表す。図８（ａ）の例では、聴講者Ａは、音声合成や、音声認識、自然言語処理、Ｗｅｂ技術、ＸＭＬといった分野に詳しいことを示している。また、＜ｄｉｓａｂｉｌｉｔｙ＞要素は聴講者の障害者情報を表しており、図８（ａ）の例では聴講者Ａが視覚障害者であることを示している。また、図８（ｂ）の例は、別の聴講者Ｂの聴講者特性情報を示している。
【００４１】
前記ステップＳ８０１の後、聴講者用ＰＣ１０３は、聴講者Ａによる所定の操作など、会議終了を意味する入力があるまで（ステップＳ８０５）、サーバ１０５から音声出力用テキストを受信するか否かをチェックし（ステップＳ８０２）、受信したらこれを音声合成して（ステップＳ８０３）、合成音を出力する（ステップＳ８０４）。
【００４２】
ここで、音声出力用テキストは、後に説明するように、講演者によるプレゼンテーションデータに含まれる内容を音声出力用に変換したものである。これにより、視覚障害者である聴講者Ａは、プレゼンテーションデータの内容を音声で把握することができる。
【００４３】
ＩＩ．講演者用ＰＣ１０２の動作
続いて、講演者用ＰＣ１０２の動作を説明する。
【００４４】
講演者用ＰＣ１０２上では、講演者が、事前に作成したプレゼンテーションデータを所定のソフトウェアで実行してプレゼンテーションを行う。本実施形態では、プレゼンテーションデータは、図９に示すように、各スライドがＨＴＭＬで記述され、各ＨＴＭＬファイルに対し、その内容に関するメタデータをＸＭＬで記述したメタデータファイルが付随した構成になっているものとする。
【００４５】
プレゼンテーションデータを所定のソフトウェアで実行すると、図９のｓｌｉｄｅ１．ｈｔｍｌで記述されたスライドは、図１０に示すような表示になり、これが講演者用ＰＣ１０２のＬＣＤ５０７及びプロジェクタ１０１の画面に表示される。講演者が図１０に示す画面表示の「次」という文字をクリックすると、図９のｓｌｉｄｅ２．ｈｔｍｌで記述されたスライドに移動する。
【００４６】
このソフトウェアは、会議に参加している各聴講者の聴講者特性情報を統合したデータである統合聴講者特性情報がサーバ１０５から送信されてきたか否かを常時チェックし（ステップＳ８１３）、送信されてきた場合は、これを保存する（ステップＳ８１４）。本実施形態では、統合聴講者特性情報は、図８（ａ），（ｂ）のような各聴講者特性情報を単純に全て集めたものとする。
【００４７】
一方、スライドについて、講演者が図１０に示す画面表示の「次」という文字をクリックするなど、スライドの移動を行った場合（プレゼンテーション開始時に最初のスライドを表示した場合も含む）（ステップＳ８１５）、視覚障害者用に音声に変換するために、その変換元データとして、現在のスライドの表示データであるＨＴＭＬファイルをサーバ１０５に送信する（ステップＳ８１６）。
【００４８】
続いて、プレゼンテーションを支援する支援情報を生成する（ステップＳ８１７）。支援情報は、聴講者の専門分野と各スライドの内容とを比較し、そのスライドを詳しく説明すべきか、あるいは簡潔に説明すべきかを講演者にアドバイスするものである。支援情報の生成は支援情報生成部２０２が行う。支援情報生成部２０２は、対象スライドに付随したメタデータと統合聴講者特性情報との比較を行う。
【００４９】
対象スライドがｓｌｉｄｅ１．ｈｔｍｌの場合、その付随メタデータは図９のｍｅｔａ１．ｘｍｌである。この中の＜ｋｅｙｗｏｒｄｓ＞要素に含まれる各＜ｉｔｅｍ＞要素の内容と、統合聴講者特性情報に含まれる図８（ａ）の＜ｆｉｅｌｄ＞要素中の各要素の内容とを比較すると、「音声認識」と「音声合成」が一致することが判るので、聴講者Ａはこのスライドの内容に関する専門知識を持っていると判定される。一方、図８（ｂ）の統合聴講者特性情報と比較すると、一致するものがないので、聴講者Ｂはこのスライドの内容に関する専門知識を持っていないと判定される。
【００５０】
聴講者がこの２人だけ（聴講者Ａ，Ｂ）とした場合、このスライドの内容に関する専門知識を持つ聴講者の比率である「専門一致度」は５０％と算出される。支援情報生成部２０２は、この専門一致度をキーとして、図１１に示すようなテーブルを参照し、専門一致度５０％に対応する支援情報「このスライドは通常の説明をしましょう。」を取り出す。そして、このテキストを音声合成し（ステップＳ８１８）、合成音を出力する（ステップＳ８１９）。
【００５１】
また、対象スライドがｓｌｉｄｅ２．ｈｔｍｌの場合では、その付随メタデータは図９のｍｅｔａ２．ｘｍｌである。これと統合聴講者特性情報とを比較した場合は、同様の方法で専門一致度が１００％になるので、図１１のテーブルから、支援情報は「このスライドはさらりと説明しましょう。」になる。
【００５２】
これに続いて、このスライドの表示データであるＨＴＭＬファイルを表示する（ステップＳ８２０）（講演者用ＰＣ１０２のＬＣＤ及びプロジェクタ１０１の画面に表示される）。講演者は、ステップＳ８１９の出力音声を、例えばイヤホンやヘッドフォンを通して聞くことで、プレゼンテーションを行いながらその支援情報を得ることができ、そのスライドをどのように説明するかを判断することができる。
【００５３】
ＩＩＩ．サーバ１０５の動作
次に、サーバ１０５の動作を説明する。
【００５４】
サーバ１０５は、聴講者用ＰＣ（本例では１０３または１０４）から聴講者特性情報が送られてくるかどうかをチェックし（ステップＳ８０６）、送られてきたら、聴講者特性情報管理部４０１で管理している統合聴講者特性情報にこれを反映して統合聴講者特性情報を更新し（ステップＳ８０７）、この統合聴講者特性情報を講演者用ＰＣ１０２へ通知する（ステップＳ８０８）。本実施形態では、統合聴講者特性情報への反映は、各聴講者の聴講者特性情報を集めたものに単純に追加するだけのものとする。
【００５５】
さらに、サーバ１０５は、前記ステップＳ８１６によって講演者用ＰＣ１０２が送信したスライドのＨＴＭＬファイルを受信したかどうかをチェックし（ステップＳ８０９）、受信した場合は、このＨＴＭＬファイルを音声出力用テキストに変換する（ステップＳ８１０）。聴講者の中に視覚障害者が存在する場合、この音声出力用テキストを、その聴講者のＰＣに送信する（ステップＳ８１１）。どの聴講者が視覚障害者であるかは、統合聴講者特性情報に含まれる各聴講者特性情報の中の、＜ｄｉｓａｂｉｌｉｔｙ＞要素から判断できる。何らかの終了条件がない限り（ステップＳ８１２）、ステップＳ８０６に戻る。
【００５６】
音声出力用テキストへの変換は、例えば、ＨＴＭＬを解析し、＜ｈ１＞タグの内容には「見出し」という言葉を、＜ｕｌ＞タグの内容には「項目」という言葉を、＜ａ＞タグの内容には「ハイパーリンク」という言葉を補うなどして、そのスライドの内容を音声で把握しやすいような変換を行う。ｓｌｉｄｅ１．ｈｔｍｌの内容を音声出力用テキストに変換した例を図１２に示す。
【００５７】
このように本実施形態によれば、講演者は聴講者の専門分野に合わせて無駄がなく且つ不足のないプレゼンテーションを行うことができ、さらに聴講者は視覚障害があってもプレゼンテーションの内容を十分把握することができる。
【００５８】
［第２実施形態］
上記第１実施形態では、支援情報を音声で講演者に伝えるようになっていた。これに対し、本実施形態では、講演者用ＰＣの画面上に、プレゼンテーションデータに含まれる表示データと同時に支援情報を表示して講演者に伝えるようにしたものである。
【００５９】
＜第２実施形態の構成＞
図１４は、本発明の第２実施形態に係るプレゼンテーション支援システムの構成を示すブロック図であり、図１と共通の要素には同一の符合を付し、その説明を省略する。
【００６０】
同図に示すように、本実施形態のプレゼンテーション支援システムは、プロジェクタ１５０１がＬＡＮ１０７に直接接続されており、プロジェクタ１５０１は、講演者用ＰＣ１０２とＬＡＮ経由でデータをやり取りするようになっている。
【００６１】
図１５は、図１４に示したプロジェクタ１５０１の機能構成を示すブロック図である。
【００６２】
同図中の１６０１は、ＬＡＮ１０７上の他の機器とデータをやり取りするための通信部である。１６０２は、講演者用ＰＣ１０２から送られる表示データを保持するプレゼンテーション用表示データ保持部であり、１６０３は、前記表示データを表示する表示部である。
【００６３】
図１６は、図１４に示したプロジェクタ１５０１のハードウェア構成を示すブロック図である。
【００６４】
同図において、１７０１はＣＰＵであり、後述するプロジェクタ１５０１の動作手順を実現するプログラムに従って動作する。１７０２はＲＡＭであり、上記プログラムの動作に必要な記憶領域を提供し、図１５中のプレゼンテーション用表示データ保持部１６０２を含む。１７０３はＲＯＭであり、上記プログラムの動作手順を実現するプログラムを保持する。１７０４は表示装置であり、図１５中の表示部１６０３の機能を実現する。１７０５は通信デバイスであり、本実施形態ではＬＡＮカードを想定している。これら各構成要素は、バス１７０６に接続されている。
【００６５】
＜第２実施形態の動作＞
図１７のフローチャートを参照しつつ、本実施形態における講演者用ＰＣ１０２の動作を説明する。
【００６６】
同図において、ステップＳ１８０４からステップＳ１８０７までは、図７のステップＳ８１３からステップＳ８１６までと同じ処理を行い、その後のステップＳ１８０８において、講演者用ＰＣ１０２は、プレゼンテーションデータに含まれる表示データのうちの対象スライドの表示データとして、例えば図９におけるｓｌｉｄｅ１．ｈｔｍｌやｓｌｉｄｅ２．ｈｔｍｌなどのＨＴＭＬファイルをプロジェクタ１５０１にＬＡＮ１０７経由で送信する。
【００６７】
そして、図７のステップＳ８１７と同様の方法で支援情報を生成する（ステップＳ１８０９）。表示部２０６では、対象のＨＴＭＬファイルの表示と同時に、同一画面上にこの支援情報を表示する（ステップＳ１８１０）。この表示は、ＨＴＭＬの表示に重ねてもよいし、別ウインドウなどに分離して表示してもよい。これにより、講演者は、説明対象のスライド表示を自分のＰＣ上で見ながら同時に支援情報を目で確認することができる。
【００６８】
一方、プロジェクタ１５０１は、スライドの表示データであるＨＴＭＬファイルが講演者用ＰＣ１０２から届くかどうかをチェックし（ステップＳ１８０１）、当該表示データを受信した場合は、これを表示装置１７０４の画面上に表示する（ステップＳ１８０２）。
【００６９】
こうしてプロジェクタ１５０１の画面上には、プレゼンテーションの表示データのみが表示される。
【００７０】
このように本実施形態では、講演者用ＰＣの画面上に、プレゼンテーションデータに含まれる表示データと同時に支援情報を表示して講演者に伝えることができ、講演者は聴講者の専門分野に合わせて、無駄がなく且つ不足のないプレゼンテーションを行うことができる。
【００７１】
＜変形例＞
なお、本発明は、上記各実施形態に限定されず、様々な変形が可能である。
【００７２】
（１）上記各実施形態では、各聴講者の専門分野に関する情報は、聴講者特性情報に事前に記述されているものとしていたが、事前にアンケートをとることによって取得するようにしてもよい。例えば、講演者は図１３（ａ）のようなアンケート用ＨＴＭＬファイルを事前に用意しておき、これをサーバ１０５に登録する。各聴講者は、サーバ１０５に登録された前記アンケート用ＨＴＭＬファイルに対して、既存のＷｅｂブラウザからアクセスすると、ブラウザ上では、図１３（ｂ）のようなアンケートの画面が表示される。聴講者がこのアンケートに回答して「送信」ボタンを押すと、回答の内容がサーバ１０５に送信される。サーバ１０５は、この回答を、聴講者特性情報ファイルの＜ｆｉｅｌｄ＞要素に書き込む。このようにして、その聴講者の専門分野に関する情報を得ることができる。
【００７３】
（２）上記各実施形態では、ＨＴＭＬファイルを音声出力用テキストに変換し、これを視覚障害のある聴講者のＰＣに送信し、音声合成はこの聴講者用ＰＣ上で行っていたが、サーバ１０５上で音声合成を行い、合成音を聴講者用ＰＣに送信して、聴講者用ＰＣ上では音声の再生だけを行うようにしてもよい。
【００７４】
（３）上記各実施形態では、プレゼンテーションデータに含まれる表示データをＨＴＭＬとしていたが、他の記述フォーマットでも構わない。例えばＷ３Ｃ（Ｗｏｒｌｄ  Ｗｉｄｅ  Ｗｅｂ  Ｃｏｎｓｏｒｔｉｕｍ）勧告のベクターグラフィックスの記述言語であるＳＶＧ（Ｊｏｎ  Ｆｅｒｒａｉｏｌｏ、藤沢淳、Ｄｅａｎ  Ｊａｃｋｓｏｎ、“Ｓｃａｌａｂｌｅ  Ｖｅｃｔｏｒ  Ｇｒａｐｈｉｃｓ  （ステップＳＶＧ）  １．１  Ｓｐｅｃｉｆｉｃａｔｉｏｎ”、２００３／１／１４発行）でも構わない。
【００７５】
（４）上記各実施形態では、支援情報は、図１１に示すように、専門一致度に対応して予め設定されたテキストを講演者に提示するようにしていたが、他の文言でも構わないし、専門一致度を直接伝えるなど、他の提示方法でも構わない。
【００７６】
（５）上記実施形態においては、プログラムをＲＯＭに保持する場合について説明したが、これに限定されるものではなく、任意の記憶媒体を用いて実現してもよい。また、同様の動作をする回路で実現してもよい。
【００７７】
（６）本発明は、上述した実施形態の装置に限定されず、複数の機器から構成されるシステムに適用しても、１つの機器から成る装置に適用してもよい。前述した実施形態の機能を実現するソフトウェアのプログラムコードを記憶した記憶媒体をシステムあるいは装置に供給し、そのシステムあるいは装置のコンピュータ（またはＣＰＵやＭＰＵ）が記憶媒体に格納されたプログラムコードを読み出し実行することによっても、完成されることは言うまでもない。
【００７８】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部または全部を行い、その処理によって前述した実施形態の機能が実現される場合も含まれることは言うまでもない。
【００７９】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部または全部を行い、その処理によって前述した実施形態の機能が実現される場合も含まれることは言うまでもない。
【図面の簡単な説明】
【００８０】
【図１】本発明の第１実施形態に係るプレゼンテーション支援システムの構成を示すブロック図である。
【図２】図１に示した講演者用ＰＣ１０２の機能構成を示すブロック図である。
【図３】図１に示した聴講者用ＰＣ１０３（または聴講者用ＰＣ１０４）の機能構成を示すブロック図である。
【図４】図１に示したサーバ１０５の機能構成を示すブロック図である。
【図５】図１に示した講演者用ＰＣ１０２（または聴講者用ＰＣ１０３，１０４）のハードウェア構成を示すブロック図である。
【図６】図１に示したサーバ１０５のハードウェア構成を示すブロック図である。
【図７】第１実施形態の動作を示すフローチャートである。
【図８】聴講者特性情報の一例を示す図である。
【図９】プレゼンテーションデータの一例を示す図である。
【図１０】プレゼンテーション用のスライドの表示例を示す図である。
【図１１】専門一致度に対応する支援情報を記述したテーブルの一例を示す図である。
【図１２】スライドの内容を音声出力用テキストに変換した例を示す図である。
【図１３】アンケートを記述したＨＴＭＬファイルとその表示の例を示す図である。
【図１４】本発明の第２実施形態に係るプレゼンテーション支援システムの構成を示すブロック図である。
【図１５】図１４に示したプロジェクタ１５０１の機能構成を示すブロック図である。
【図１６】図１４に示したプロジェクタ１５０１のハードウェア構成を示すブロック図である。
【図１７】第２実施形態の動作を示すフローチャートである。
【符号の説明】
【００８１】
１０１  プロジェクタ
１０２  講演者用ＰＣ
１０３  聴講者用ＰＣ
１０４  聴講者用ＰＣ
１０５  サーバ
１０７  ＬＡＮ
２０２  支援情報生成部
２０３  通信部
２０４  プレゼンテーションデータ保持部
２０５  制御部
２０６  表示部
２０７  音声合成部
２０８  音声出力部
【図１】
2005250016.tif 000003
【図２】
2005250016.tif 000004
【図３】
2005250016.tif 000005
【図４】
2005250016.tif 000006
【図５】
2005250016.tif 000007
【図６】
2005250016.tif 000008
【図７】
2005250016.tif 000009
【図８】
2005250016.tif 000010
【図９】
2005250016.tif 000011
【図１０】
2005250016.tif 000012
【図１１】
2005250016.tif 000013
【図１２】
2005250016.tif 000014
【図１３】
2005250016.tif 000015
【図１４】
2005250016.tif 000016
【図１５】
2005250016.tif 000017
【図１６】
2005250016.tif 000018
【図１７】
2005250016.tif 000019